(57)【要約】【課題】携帯機が不用意にドア側施解錠装置の信号伝播領域内に放置された場合に、携帯機内の電池の無駄な消耗や、意図しないタッチスイッチ操作によりドアが解錠される危険性の発生を防止することができる建物用ドア施解錠システムを提供する。【解決手段】建物用ドア１０に設けられる施解錠装置は、携帯機５０からのレスポンスコード信号又はキーレスコード信号を処理して電気錠機構２４を制御するコントローラ１４とを有する。コントローラ１４は、個々の携帯機に対応した所定の呼び出しコード信号を生成し送信させる手段と、同一の呼び出しコードに対応するレスポンスコード信号を所定時間連続して受信したとき、該当する呼び出しコード信号の送信を停止させる手段とを有する。【選択図】　図１
2004003147.tif 000002
【特許請求の範囲】
【請求項１】
建物用ドアに設けられる施解錠装置と、該施解錠装置から送信される所定の信号に応動して施解錠装置にレスポンス信号を送るとともに固有のキーレスコード信号を送ることができる携帯機とを備え、施解錠装置が携帯機使用者の施解錠意志を検出するためのタッチスイッチと、タッチスイッチからの信号と、携帯機からのレスポンス信号又はキーレスコード信号を処理して電気錠機構を制御するコントローラとを備えている建物用ドア施解錠システムにおいて、
前記コントローラは、個々の携帯機に対応した所定の呼び出しコード信号を生成し送信させる手段と、同一の呼び出しコードに対応するレスポンスコード信号を所定時間連続して受信したとき、該当する呼び出しコード信号の送信を停止させる手段と、を有することを特徴とする建物用ドア施解錠システム。
【請求項２】
請求項１に記載の建物用ドア施解錠システムにおいて、
前記コントローラは、呼び出しコードに対応したレスポンスコード信号を受信したとき所定時間の計時を開始するとともに、計時中にレスポンスコード信号を受信しなくなったとき、または、電気錠機構が施解錠操作されたときには、前記計時をリセットする手段を有することを特徴とする建物用ドア施解錠システム。
【請求項３】
請求項１又は２に記載の建物用ドア施解錠システムにおいて、
前記コントローラは、個々の携帯機に固有のキーコードに呼び出しコードを対応させて記憶する手段と、
キーレスコード信号を受信したとき、送信が停止されている呼び出しコードに対応したキーレスコードかどうかを判定し、送信が停止された呼び出しコードに対応するキーレスコードと判定したときには、該当する呼び出しコード信号の送信を再開する手段と、を有することを特徴とする建物用ドア施解錠システム。
【発明の詳細な説明】
【０００１】
【発明の属する技術分野】
この発明は、建物用ドアに設ける施解錠装置に関し、特に、携帯機から送信した無線信号によって施解錠モードに移行させた状態でタッチスイッチを操作し施錠又は解錠を実行させる構成とした施解錠装置に係る。
【０００２】
【従来の技術】
送受信機と電気錠（キーシリンダを備える）とからなる錠部と、送受信信号を信号処理するコントローラとからなる施解錠装置をドアに設備し、この施解錠装置を携帯機（送受信ユニット）の特定の無線信号によって施解錠制御する構成の施解錠システムが知られている。
【０００３】
このような施解錠システムは、電磁波を通信媒体としたチャレンジコード信号と呼び出しコード信号とを順次ドア側の送受信機より送信する。
そして、携帯機を所持した者がそれらの信号の伝播領域に入ると、携帯機がチャレンジコード信号と呼び出しコード信号に応動してレスポンスコード信号を出力する。
【０００４】
このレスポンスコード信号はドア側の送受信機によって受信され、このレスポンスコード信号が正規信号であるか否かがコントローラによって算出された内部レスポンスコードとの比較により判断され、その判断結果に基づいて電気錠が施解錠制御される。
【０００５】
なお、このような施解錠装置は、施錠状態と解錠状態とを検出し、施錠しているときは解錠制御し、解錠しているときは施錠制御する。
そして、施錠している電気錠が解錠された場合、解錠してドアを開き、その後ドアを閉めると、自動的に施錠される。
また、解錠して一定時間の間にドアを開かない場合も自動的に施錠される。
【０００６】
上記したチャレンジコード信号は、コントローラで生成される任意の乱数コード信号であり、休止中である携帯機を起動させるものである。
呼び出しコード信号は、コントローラに登録された携帯機のコード信号で、その携帯機のＩＤコードに対応させてメモリに記憶されており、その呼び出しコードがメモリから読み出されて出力される。
【０００７】
コントローラは、チャレンジコードと呼び出しコード信号を送信した後、送信した呼び出しコード信号に対応する携帯機のＩＤコードと送信したチャレンジコードから、内部レスポンスコードを生成し、一時的にメモリに記憶する。
【０００８】
また、携帯機は送受信ユニットとなっており、受信したチャレンジコード信号とＩＤコードから算出してレスポンスコードを生成する。
すなわち、施解錠装置のコントローラで行なわれる内部レスポンスコードの算出と同様にしてレスポンスコードを生成し、このレスポンスコード信号を出力する。
【０００９】
したがって、レスポンスコード信号を受信した施解錠装置は、内部レスポンスコードと受信した外部レスポンスコードとを比較し、一致している場合に解錠動作する。
【００１０】
【発明が解決しようとする課題】
上記したように、従来の一般的な施解錠システムにおいては、ドア側の送受信機から絶えずチャレンジコード信号と呼び出しコード信号が送信されており、一方、携帯機はそれらの信号の伝播領域に入ると、チャレンジコード信号と呼び出しコード信号に応動してレスポンスコード信号を出力する。
【００１１】
したがって、携帯機を不用意にドア側施解錠装置の近傍に放置しておくと、携帯機は繰り返しチャレンジコード信号と呼び出しコード信号に応動してレスポンスコード信号の送信を行うため、携帯機の電池が無駄に消耗してしまうという問題が生じる。
【００１２】
また、携帯機が扉の室内側の近傍に放置されているときには、室外側から他人がタッチスイッチを操作した場合でも扉が解錠してしまうという問題が生じる。
【００１３】
そこで、本発明は、携帯機が不用意にドア側施解錠装置の信号伝播領域内に放置された場合に、携帯機内の電池の無駄な消耗や、意図しないタッチスイッチ操作によりドアが解錠される危険性の発生を防止することができる建物用ドア施解錠システムを提供することを第１の目的とする。
【００１４】
また、本発明は、ドア側施解錠装置の信号伝播領域内に放置されたことにより停止状態とされた携帯機を容易に元の状態に復活させることができる施解錠装置を提供することを第２の目的とする。
【００１５】
【課題を解決するための手段】
上記した第１の目的を達成するため、本発明では、第１の発明として、　建物用ドアに設けられる施解錠装置と、該施解錠装置から送信される所定の信号に応動して施解錠装置にレスポンス信号を送るとともに固有のキーレスコード信号を送ることができる携帯機とを備え、施解錠装置が携帯機使用者の施解錠意志を検出するためのタッチスイッチと、タッチスイッチからの信号と、携帯機からのレスポンス信号又はキーレスコード信号を処理して電気錠機構を制御するコントローラとを備えている建物用ドア施解錠システムにおいて、前記コントローラは、個々の携帯機に対応した所定の呼び出しコード信号を生成し送信させる手段と、同一の呼び出しコードに対応するレスポンスコード信号を所定時間連続して受信したとき、該当する呼び出しコード信号の送信を停止させる手段と、を有することを特徴とする建物用ドア施解錠システムを提案する。
【００１６】
上記構成によれば、携帯機をドアの近傍に置き忘れた場合でも、携帯機がレスポンスコードを長時間送信し続けることを防止できるので、置き忘れをした場合に携帯機が電池切れによって、使用できなくなることを防止することができる。
【００１７】
また、室内側のドア近傍に携帯機を置き忘れた場合でも、室外側からのタッチスイッチが操作され、錠装置が解錠されてしまうことを防止することができる。
【００１８】
さらに、扉近傍に放置されている携帯機の送受信機との通信だけを停止させるので、同じ施解錠装置に使用されている他の携帯機の操作に影響を及ぽすことはない。
【００１９】
また、第２の発明では、上記構成の建物用ドア施解錠システムにおいて、前記コントローラは、呼び出しコードに対応したレスポンスコード信号を受信したとき所定時間の計時を開始するとともに、計時中にレスポンスコード信号を受信しなくなったとき、または、電気錠機構が施解錠操作されたときには、前記計時をリセットする手段を有することを特徴とする建物用ドア施解錠システムが提案される。
【００２０】
上記構成によれば、携帯機を停止させる条件を設定することにより、通常の操作状況で携帯機が停止状態になることを防止することができる。
【００２１】
さらに、上記第２の目的を達成するために、本発明では、第３の発明として、上記構成の建物用ドア施解錠システムにおいて、前記コントローラは、個々の携帯機に固有のキーレスコードに呼び出しコードを対応させて記憶する手段と、キーレスコード信号を受信したとき、送信が停止されている呼び出しコードに対応したキーレスコードかどうかを判定し、送信が停止された呼び出しコードに対応するキーコードと判定したときには、該当する呼び出しコード信号の送信を再開する手段と、を有することを特徴とする建物用ドア施解錠システムが提案される。
【００２２】
上記構成によれば、停止されている携帯機に所定操作を行うことにより、停止状態を容易に解除することができるので、停止状態とされた場合でも、面倒な操作をすることなく、携帯機を復帰させることができる。
【００２３】
【発明の実施の形態】
次に、本発明の実施形態について図面に沿って説明する。
図１（Ａ）は本発明の施解錠システムを実施した建物用ドアの外面側一部を示す斜視図、図１（Ｂ）はそのドアの内面側一部を示す斜視図である。
【００２４】
図１（Ａ）に示すように、ドア１０の外面には、施解錠装置の外側錠部１１と、外側ドアハンドル１２と、補助シリンダ錠部１３とを設け、また、このドア１０には埋設するようにして施解錠装置のコントローラ１４が配設してある。
【００２５】
外側錠部１１は、図２に示した拡大正面図より分かる通り、その正面にはシリンダ錠のキー挿入部１５、タッチスイッチ１６、施解錠の表示部１７、コード信号の送受信部所１８を備えてある。
【００２６】
なお、送受信部所１８は、合成樹脂材などで形成されており、ケース２２を金属製とする場合に設けられるものであり、ケース２２を合成樹脂材などで形成する場合は不要となる。
【００２７】
また、外側錠部１１は、図３に拡大して示した内部構成図より分かるように、送信アンテナ１９、受信アンテナ２０、送信アンテナ１９に接近させて配置したコンデンサ２１、その他タッチスイッチ１６のスイッチ部などがケース２２内に設けた基板２３に配設してある。
【００２８】
送信アンテナ１９は磁性体に導電線を巻回して形成したもので、この送信アンテナ１９とコンデンサ２１とで直列共振回路を形成している。
すなわち、直列共振回路の共振電流を利用してチャレンジコード信号と呼び出しコード信号とを順次送信アンテナ１９より繰り返し送信させる。
【００２９】
そして、このチャレンジコード信号と呼び出しコード信号は、周辺無線機器への電波障害を考慮して、距離減衰性の高い電磁波を送信媒体とし、例えば、ＬＦ（１２５ｋＨｚ）磁界信号として送信する。
【００３０】
受信アンテナ２０は、棒状の導電体からなる公知のアンテナで、携帯機５０（図１参照）から送られる高周波電波、例えば、ＲＦ（３１５ＭＨｚ）のレスポンスコード信号を電波信号として受信する。
【００３１】
また、図１に示すように、携帯機５０はキーレスコード信号を送信するためのキーレスコード送信スイッチボタン５１を有しており、受信アンテナ２０は、キーレスコード送信スイッチボタン５１を押したとき携帯機５０から送信されるキーレスコード信号も同様に電波信号として受信することができる。
【００３２】
なお、外側錠部１１の表示部１７は施錠状態で緑色光を、解錠状態で赤色光を表示するもので、施解錠する者が視覚を通して施錠と解錠とを確認できるようにしてある。
【００３３】
上記した外側錠部１１の送受信信号はコントローラ１４によって信号処理される。
すなわち、このコントローラ１４は、ＣＰＵの他にＲＡＭ、ＲＯＭなどのメモリ、タイマー等を有する制御回路を有し、このコントローラ１４の制御下にチャレンジコード信号と呼び出しコード信号とを送信アンテナ１９より出力させる。
【００３４】
なお、チャレンジコード信号は任意の乱数コード信号である。
呼び出しコード信号は、従来例と同様のものであり、登録された携帯機５０のＩＤコードに対応して予めコントローラ１４に設定された呼び出しコードで、携帯機５０のコントローラ１４への登録順に従ってメモリに記憶させて保持する。
【００３５】
また、このコントローラ１４は、受信アンテナ２０が受信したレスポンスコード信号を入力し、このレスポンスコードと送信したチャレンジコードから生成してメモリに記憶されている内部レスポンスコードとを比較し、これらのコードが一致したとき、解錠準備モードとなる。
【００３６】
なお、レスポンスコード信号は、携帯機５０のＩＤコードと受信したチャレンジコードから施解錠装置側と同様に算出されたコード信号で、携帯機５０より出力させる。
【００３７】
さらに、コントローラ１４は、解錠準備モードにおいてタッチスイッチ１６を操作すると、そのスイッチ信号の入力に応動し、施解錠機構２４（図１参照）を電動駆動部（サムターン装置に内蔵）を解錠制御し、施錠状態となっているデッドボルト２５（図１参照）を退出させ解錠させる。
【００３８】
なお、解錠した後、ドアを開閉したとき、または、所定時間内にドアを開閉しないときは、コントローラ１４が施解錠機構２４の電動駆動部を制御して施錠させる。
【００３９】
図１（Ａ）に示した外側ドアハンドル１２はラッチ機構を連動する構成となっており、例えば、引き開きドア１０の場合は、ドアハンドル１２を引き操作すると、ラツチボルト２６が後退してドアを開くことができる。
【００４０】
なお、ドアハンドル１２の引き操作を解放すると、ラッチ機構が自動的に復動する。
図１（Ａ）に示した補助シリンダ錠１３は、キー操作によってその施解錠機構２７を施解錠させるものであるが、この施解錠機構２７は補助サムターン３３に設けられた電動駆動部によって制御される。
すなわち、この電動駆動部が上記したコントローラ１４によって制御されることにより外側錠部１１と同様に施解錠される構成となっている。
【００４１】
一方、図１（Ｂ）に示すように、ドア１０の内面には、内側錠部３１、内側ドアハンドル３２、補助サムターン３３が設けてある。
内側錠部３１は、サムターン装置と送受信機とをユニット化した構成としてあり、図４に拡大正面図として示した通り、その正面にはサムターンノブ３４、タツチスイッチ３５、施解錠状態の表示部３６とが設けてある。
【００４２】
また、内側錠部３１は、図５に拡大して示した内部構成図より分かるように、送信アンテナ３７、受信アンテナ３８、送信アンテナ３７と共振回路を形成するコンデンサ３９、タッチスイッチ３５のスイッチ部などがケース４０内に設けられた基板に配設されている。
【００４３】
なお、タッチスイッチ３５、送信アンテナ３７、受信アンテナ３８は外側錠部１１に備えたものと同構成であり、コントローラ１４の制御下に同様に動作するものである。
【００４４】
さらに、内側錠部３１には、施解錠機構２４をモータ駆動する電動駆動部４１が備えてある。
なお、この電動駆動部４１には、外側錠部１１のシリンダ錠をキー操作したとき、または、サムターンノブ３４を操作したときに電動電駆動系を切り離すクラッチ機構が備えらてある。
【００４５】
図１（Ｂ）に示した内側ドアハンドル３２は、外側ドアハンドル１２と同様にラッチ機構を連動し、このドアハンドル３２を押し操作すると、ラッチボルト２６が後退してドアを開くことができる。
【００４６】
なお、ドアハンドル３２の押し操作を解放すれば、ラッチ機構が自動的に復動する。
図１（Ｂ）に示した補助サムターン３３は、内側錠部３１に設けた電動駆動部４１と同様の電動駆動部とクラッチ機構とを備え、コントローラ１４によって制御される電動駆動部の動作により施解錠するものである。
【００４７】
次に、図６〜図１１に示すコントローラ１４のフローチャートを参照しながら上記した施解錠システムの動作について説明する。
なお、外側錠部１１と内側錠部３１の送受信時の動作は同様となるので、外側錠部１１の送受信時の動作について説明する。
【００４８】
先ず、コントローラ１４のスタートによって携帯機５０からのキーレスコード信号を外側錠部１１の受信アンテナ２０が受信しているかどうかを判別する（図６ＳＴ１００）。
【００４９】
キーレスコードは携帯機５０に固有のコード情報であり、コントローラ１４のメモリには予め各携帯機５０のキーレスコードが記憶されている。
【００５０】
携帯機５０の通常の使用においては携帯機５０からキーレスコード信号を送信させる必要がないが、本実施形態においては、呼び出しコード信号の送信を停止している携帯機５０の使用者が呼び出しコード信号の送信を再開させたいときにこのキーレスコード信号を利用することができるようになっている。
【００５１】
外側錠部１１の受信アンテナ２０が携帯機５０からのキーレスコード信号を受信すると、コントローラ１４は図１１に示す処理を行うが、この処理の詳細については後述する。
【００５２】
外側錠部１１の受信アンテナ２０が携帯機５０からのキーレスコード信号を受信していない場合は、外側錠部１１の送信アンテナ１９からチャレンジコード信号が送信される（図６ＳＴ１０１）。
【００５３】
このときコントローラ１４は、送信したチャレンジコード信号のコードと続いて送信する呼び出しコードに対応した携帯機のＩＤコードとから算出した内部レスポンスコードを作成してメモリに記憶させる。
【００５４】
この呼び出しコード信号は複数の携帯機の登録に対応させて設定されるａ〜ａｎ＋１のコード信号であり、各携帯機のＩＤコードに関連させてメモリに記憶されている。
また、チャレンジコード信号はａ〜ａ＋ｎの種類に分けられた呼び出しコード信号と交互に送信される（図６ＳＴ１０１〜ＳＴ１０４）。
【００５５】
携帯機５０を所持した者がドア１０に近づき、携帯機５０がレスポンスコード信号を出力すると、このレスポンスコード信号を外側錠部１１の受信アンテナ２０が受信する（図６ＳＴ１０５）。
【００５６】
受信アンテナ２０が受信したレスポンスコード信号は、コントローラ１４によつて外部レスポンスコードとして処理され、内部レスポンスコードと比較される（図６ＳＴ１０６）。
【００５７】
携帯機５０がａ〜ａ＋ｎのいずれかの呼び出しコード信号に対応したＩＤコードを有するものであれば、外部レスポンスコードが内部レスポンスコードに一致することから、コントローラ１４はこれらコードの一致を判断する（図６ＳＴ１０７）。そして、その後、図７に示す施解錠準備モードの処理に入る前に、本発明の特徴をなす図１０の判別処理を行う。
【００５８】
すなわち、コントローラ１４は、先ず、同一の呼び出しコードに対応したレスポンスコードを連続して受信したかどうかを判定する（図１０ＳＴ２０１）。
【００５９】
同一の呼び出しコードに対応したレスポンスコードの連続受信状態が発生するのは、例えば携帯機５０の使用者が携帯機５０をドア１０の近傍に置き忘れてしまった場合等、何らかの異常事態が発生しているときである。
【００６０】
このように携帯機５０がドア１０の近傍に放置されていると、いつまでも送受信を繰り返すので携帯機５０の電池が無駄に消耗する原因となる。
【００６１】
また、ドア１０の室内側近傍に携帯機５０が放置されているときは、室外側から他人がタッチスイッチ１６を操作した場合でもドア１０が解錠してしまうので、極めて無防備な状態となってしまう。
【００６２】
そこで、本発明においては、コントローラ１４は、図１０のステップＳＴ２０１において同一の呼び出しコード信号に対応したレスポンスコードを所定時間連続して受信したと判定したときは、後述するように、図１０のステップＳＴ２０３からＳＴ２０６までの処理を実行する。
【００６３】
一方、コントローラ１４は、図１０のステップＳＴ２０１において上記の連続受信状態が発生していないと判定したときは、先ず送信停止タイマのカウントを開始させ（図１０ＳＴ２０２）、その後、図７に示す施解錠準備モードの処理へと進む。
【００６４】
なお、ステップＳＴ２０２に示す送信停止タイマは、同一の呼び出しコード信号に対応したレスポンスコードの連続受信時間の長さを設定するものであり、特に限定はされないが、ここでは３０秒に設定されている。
【００６５】
図７に示す施解錠準備モードにおいては、コントローラ１４は、先ず、ドアロックの施解錠状態を判断し、施錠していれば表示部１７を緑色に点灯し、解錠作動待機状態となる（図７ＳＴ１０９、ＳＴ１１０、ＳＴ１１１）。一方、解錠していれば表示部１７を赤色に点灯して施錠作動待機状態となる（図７ＳＴ１０９、ＳＴ１１２、ＳＴ１１３）。
【００６６】
表示部１７が点灯したことを確認した後、携帯機５０を所持した者がこの待機状態でタッチスイッチ１６を操作することになる。
なお、タッチスイッチ１６を操作しなかったときは初段のステップＳＴ１００に戻る（図７ＳＴ１１４、ＳＴ１１５）。
【００６７】
ステップＳＴ１１１の解錠待機の状態でタッチスイッチ１６を操作すると、コントローラ１４がそのスイッチ信号に応じて電動駆動部４１を制御して解錠させる。
【００６８】
そして、この解錠に従って自動施錠タイマーのカウントを開始させる（図７ＳＴ１１６〜ＳＴ１１８）。
解錠後にドア１０を開くと、このドア１０を閉じないかぎり次のステップに進まず、ドア１０が開き状態となる（図８ＳＴ１１９、ＳＴ１２０）。
【００６９】
ドアを閉めると自動施錠タイマーのカウントが開始し、このタイマーがタイムアップすることでコントローラ１４が電動駆動部４１を制御して施錠する（図８ＳＴ１２１〜ＳＴ１２３）。
【００７０】
ステップＳＴ１１６のドアロック解錠にかかわらずドア１０を開けなかったときは自動施錠タイマー（図７ＳＴ１１８）のタイムアップで施錠となる（図８ＳＴ１１９、ＳＴ１２２、ＳＴ１２３）。
【００７１】
また、ドア１０を開けない場合、自動施錠タイマー（図７ＳＴ１１８）のカウント中にタッチスイッチ１６を操作することで施錠となる（図８ＳＴ１１９、ＳＴ１２２、ＳＴ１２３、ＳＴ１２４）。
【００７２】
上記のように解錠した後に自動施錠した後は内部レスポンスコードを消去して初段のステップＳＴ１００に戻る（図８ＳＴ１２５、ＳＴ１２６）。
【００７３】
また、図７におけるステップＳＴ１１３の施錠待機状態では、解錠しているためタッチスイッチ１６を操作することにより施錠となる（図７ＳＴ１１５、ＳＴ１２７）。
このように施錠した後は、内部レスポンスコードを消去して初段のステップＳＴ１００に戻る（図７ＳＴ１２８、ＳＴ１２９）。
【００７４】
一方、携帯機５０からレスポンスコード信号を受信しない場合、或いは、レスポンスコード信号を受信したがこの外部レスポンスコードが内部レスポンスコードと一致しないときは、呼び出しコードを切換える（図６ＳＴ１０５、ＳＴ１０７、図９ＳＴ１３０、ＳＴ１３１）。
【００７５】
呼び出しコード信号を切換えて送信した後、レスポンスコード信号を受信したときは、図６のステップＳＴ１０５以後の処理に移り、そのレスポンスコードが内部レスポンスコードと一致すれば、ステップＳＴ１０７以後の処理に移る。
【００７６】
ａ〜ａ＋ｎの呼び出しコード信号を切換えて送信しても、レスポンスコード信号を受信しない場合、或いは、受信したレスポンスコード信号のコードが内部レスポンスコードと一致しないときには、解錠待機状態を解除する（図９ＳＴ１３２、ＳＴ１３３）。
そして、内部レスポンスコードを消去して初段のステップＳＴ１００に戻る（図９ＳＴ１３３〜ＳＴ１３６）。
【００７７】
一方、レスポンスコード信号を連続して受信した場合、図１０に示すように、先ず、受信したレスポンスコード信号が同一の呼び出しコード信号に対応したレスポンスコードであるかどうかを判定する（図１０ＳＴ２０１）。
【００７８】
このレスポンスコード信号が同一の呼び出しコード信号に対応したレスポンスコードであるときは、上記したように、送信停止タイマのカウントを開始させた後、ドアロック施錠状態かどうかの判定へと処理を進める（図１０ＳＴ２０１、ＳＴ２０２、図７ＳＴ１０９）。
【００７９】
一方、このレスポンスコード信号が同一の呼び出しコード信号に対応したレスポンスコードであるときは、送信停止タイマーの設定時間が経過するまでは、ドアロック施錠状態かどうかの判定へと処理を進める（図１０ＳＴ２０１、ＳＴ２０３、図７ＳＴ１０９）。
【００８０】
連続受信したレスポンスコード信号が同一の呼び出しコード信号に対応したレスポンスコードであり、且つ、送信停止タイマーの設定時間が経過したときは、ブザーにより警報を発してタイマーカウントを停止した後、該当する呼び出しコード信号、すなわち、レスポンスコード信号を繰り返し送信している携帯機５０に対する呼び出しコード信号の送信を停止させる（図１０ＳＴ２０１、ＳＴ２０３、ＳＴ２０４、ＳＴ２０５）。
その後、内部レスポンスコードを消去して初段のステップＳＴ１００に戻る（図１０ＳＴ２０６）。
【００８１】
上記のようにして携帯機５０に対する呼び出しコード信号の送信が停止されると、後述するように、携帯機５０は送信停止モードに入る。
したがって、携帯機５０の置き忘れ等による電池の無駄な消費等を効果的に防止できるが、必要に応じてドア１０側の施解錠装置に呼び出しコード信号の送信を再開させることにより、携帯機５０を送信停止モードから通常の送信モード状態に復活させることも必要である。
【００８２】
そこで、本実施形態においては、携帯機５０に備わっているキーレスコード信号を利用してドア１０側の施解錠装置から呼び出しコード信号の送信を再開させることができるようにしている。
【００８３】
すなわち、施解錠装置のコントローラ１４は、上記したように、スタート直後にキーレスコード信号の受信を判定し（図６ＳＴ１００）、キーレスコード信号を受信したときは、図１１に示す処理を実行する。
【００８４】
先ず、受信したキーレスコードが予めメモリに記憶されている携帯機５０のキーレスコードと一致するかどうかを判定し、一致したときは、メモリに保存されているデータを参照し、そのキーレスコードの携帯機５０が呼び出しコード信号送信を停止中かどうかを調べる（図１１ＳＴ３０１、ＳＴ３０２）。
そして、呼び出しコード信号の送信が停止中でないときは、通常のキーレスコード信号による施解錠処理（図１１ＳＴ３０４〜ＳＴ３１６）を実行する。
【００８５】
一方、呼び出しコード信号の送信が停止中であるときは、呼び出しコード信号の送信停止を解除した後（図１１ＳＴ３０３）、通常のキーレスコード信号による施解錠処理へと進む（図１１ＳＴ３０４〜ＳＴ３１６）。
【００８６】
キーレスコード信号による施解錠処理においては、先ず、ドアロックが施錠状態かどうかを判定し（図１１ＳＴ３０４）、施錠状態の場合はドアロックを解錠させ、表示部を赤色に点灯させた後に自動施錠タイマカウント（例えば３０秒設定）を開始させる（図１１ＳＴ３０５、ＳＴ３０６、ＳＴ３０７）。
【００８７】
また、解錠状態である場合はドアロックを施錠させ、表示部を緑色に点灯させた後に初段のステップＳＴ１００に戻る（図１０ＳＴ３０８、ＳＴ３０９）。
その後、ステップＳＴ３１０〜ＳＴ３１６の処理を行うが、これらの処理は図８に示すステップＳＴ１１９〜ＳＴ１２５の処理と同じであるので、ここでは詳細な説明を省略する。
【００８８】
以上は外側錠部１１とコントローラ１４の動作について説明したが、内側錠部３１とコントローラ１４の動作は同様となっているので説明を省略する。
【００８９】
図示は省略するが、携帯機５０は、ＣＰＵの他にＲＡＭ、ＲＯＭなどのメモリを備えている。ＲＯＭ（若しくはＲＡＭ）には予め図１２に示すプログラムが保存されており、ＣＰＵはメモリに保存されたプログラムを実行する。
【００９０】
先ず、携帯機５０は、キーレス送信スイッチ釦５１が押し操作されてキーレススイッチ（図示省略）がオンにされたとき、キーレスコード信号を送信させる（図１２ＳＴ２０００、ＳＴ２００９）。
【００９１】
また、携帯機５０は、キーレス送信スイッチ釦５１が押し操作されておらず、従ってキーレススイッチ（図示省略）がオフのときは、チャレンジコード信号を受信しているかどうかの判別を行う（図１２ＳＴ２００１）。
【００９２】
そして、携帯機５０がドア１０の外側錠部１１から送信されるチャレンジコード信号を受信すると、休止状態から起動し、また、チャレンジコードと携帯機５０に固有のＩＤコードから算出したレスポンスコードを作成してメモリに記憶させる。（図１２ＳＴ２００１〜ＳＴ２００３）
【００９３】
そして、呼び出しコード信号を受信することにより、この携帯機５０が有する呼び出しコードと一致したときにレスポンスコード信号を送信する。（図１２ＳＴ２００４〜ＳＴ２００６）
【００９４】
さらに、レスポンスコード信号を送信した後は、記憶されているレスポンスコードを消去して初段ステップにリターンする。（図１２ＳＴ００７）
【００９５】
チャレンジコード信号を受信しても呼び出しコード信号を所定時間の間受信しない場合、或いは、呼び出しコードが一致しない場合には、レスポンスコードを消去してリターンする。（図１２ＳＴ２００４、Ｔ２００５、ＳＴ２００７、ＳＴ２００８）
【００９６】
このように、携帯機５０は、ドア１０の外側錠部１１から送信されるチャレンジコード信号を受信するとレスポンスコード信号を作成し、また、呼び出しコード信号を受信するとレスポンスコード信号を送信するという処理を繰り返す。
【００９７】
したがって、上記したように、もしも、携帯機５０がドア１０の近傍に放置されていると、いつまでも送受信を繰り返すので携帯機５０の電池が無駄に消耗する原因となる。
【００９８】
また、ドア１０の室内側近傍に携帯機５０が放置されているときは、室外側から他人がタッチスイッチ１６を操作した場合でもドア１０が解錠してしまうので、極めて無防備な状態となってしまう。
【００９９】
そこで、本実施形態においては、ドア１０側の施解錠装置がレスポンスコード信号を所定時間連続して受信し、且つ、このレスポンスコード信号が同一の呼び出しコード信号に対応したレスポンスコードであるときは、上記したように、その携帯機５０に対応する呼び出しコードの送信を停止するように構成されている（図１０ＳＴ２０４、ＳＴ２０５、ＳＴ２０６）。
【０１００】
ドア１０側の施解錠装置が呼び出しコードの送信を停止すると、携帯機５０は呼び出しコードを受信しなくなるので、レスポンスコード信号の送信処理（図１２ＳＴ２００６）を繰り返すこともなくなる。
すなわち、携帯機５０は送信停止モードに切り替わる。したがって、電池の無駄な消耗を防止することができる。
【０１０１】
特に、送信処理は受信処理と比べてより多くの電力を消耗するので、レスポンスコード信号の送信処理を停止させることによる電池節約効果は大きい。
【０１０２】
【発明の効果】
上記した通り、本発明の第１の発明によれば、携帯機をドアの近傍に置き忘れた場合でも、携帯機がレスポンスコード信号を長時間送信し続けることを防止できるので、置き忘れをした場合に携帯機が電池切れによって、使用できなくなることを防止することができる。
【０１０３】
また、室内側のドア近傍に携帯機を置き忘れた場合でも、室外側からのタッチスイッチが操作され、錠装置が解錠されてしまうことを防止することができる。
【０１０４】
さらに、扉近傍に放置されている携帯機の送受信機との通信だけを停止させるので、同じ送受信装置に使用されている他の携帯機の操作に影響を及ぽすことはない。
【０１０５】
したがって、携帯機が不用意にドア側施解錠装置の信号伝播領域内に放置された場合に、携帯機内の電池の無駄な消耗や、意図しないタッチスイッチ操作によりドアが解錠される危険性の発生を防止することができる建物用ドア施解錠システムを提供することができる。
【０１０６】
さらに、第２の発明によれば、停止されている携帯機に所定操作を行うことにより、停止状態を容易に解除することができるので、停止状態とされた場合でも、面倒な操作をすることなく、携帯機を復帰させることができる建物用ドア施解錠システムを提供することができる。
【０１０７】
また、第３の発明によれば、携帯機を停止させる条件を設定することにより、通常の操作状況で携帯機が停止状態になることを防止することができる。
【図面の簡単な説明】
【図１】図１（Ａ）は本発明の施解錠装置を実施したドアの外面側を示す部分的な斜視図である。図１（Ｂ）は本発明の施解錠装置を実施した同ドアの内面側を示す部分的な斜視図である。
【図２】上記施解錠装置の外側錠部を拡大して示した正面図である。
【図３】図２に示した外側錠部の内部構成を示した同外側錠部の背面図である。
【図４】上記施解錠装置の内側錠部を拡大して示した正面図である。
【図５】図４に示した内側錠部の内部構成を示した同内側錠部の背面図である。
【図６】上記施解錠装置に備えたコントローラの動作を示すフローチャートの一部である。
【図７】図１０に続くフローチャートである。
【図８】図７に続くフローチャートである。
【図９】図６に続く他のフローチャートである。
【図１０】図６に続く他のフローチャートである。
【図１１】図６に続く他のフローチャートである。
【図１２】携帯機の動作を示すフローチャートである。
【符号の説明】
１０　ドア
１１　外側錠部
１４　コントローラ
１６　タッチスイッチ
１９　送信アンテナ
２０　受信アンテナ
２４　施解錠機構
４１　電動駆動部
５０　携帯機
５１　キーレスコード送信スイッチボタン
【図１】
2004003147.tif 000003
【図２】
2004003147.tif 000004
【図３】
2004003147.tif 000005
【図４】
2004003147.tif 000006
【図５】
2004003147.tif 000007
【図６】
2004003147.tif 000008
【図７】
2004003147.tif 000009
【図８】
2004003147.tif 000010
【図９】
2004003147.tif 000011
【図１０】
2004003147.tif 000012
【図１１】
2004003147.tif 000013
【図１２】
2004003147.tif 000014